【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、ログ情報を取得する手段と、取得した該ログ情報を記憶する手段と、所要の検索条件の入力に応じて、該検索条件に適合するログ情報を記憶しているログ情報の中から抽出する手段とを有することを特徴とするログ情報管理装置。
【請求項２】
ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、該受信時刻及び該送信元機器を特定可能なデータ及びファシリティ及びプライオリティ及びアプリケーション名及びプロセスＩＤ及びメッセージの各データを有する基本事項と、該メッセージから抽出したタグ名及びタグ名の対象データを有する動作関連事項と、該メッセージから抽出したキーワードとを有するログ情報を取得する手段と、取得した該ログ情報を記憶する手段と、所要の検索条件の入力に応じて、該検索条件に適合するログ情報若しくはその基本事項を記憶しているログ情報の中から抽出する手段とを有することを特徴とするログ情報管理装置。
【請求項３】
アプリケーション名と対応するアプリケーションの正規表現と、アプリケーション動作名と対応するアプリケーション動作の正規表現と、タグを識別する正規表現とを記憶する手段と、シスログデータと、アプリケーションの正規表現、アプリケーション動作名の正規表現及びタグを識別する正規表現とを比較して、その合致に基づき、基本事項のアプリケーション名、動作関連事項のアプリケーション動作名、タグ名を取得する手段とを有することを特徴とする請求項２記載のログ情報管理装置。
【請求項４】
設定された検出条件を記憶する手段と、前記ログ情報に基づき該検出条件に該当する検出事項の発生を認識して所要処理を実行する手段とを有することを特徴とする請求項１、２又は３記載のログ情報管理装置。
【請求項５】
少なくとも、前記ログ情報を生成する手段と、前記ログ情報を記憶する手段がネットワークを介して接続されることを特徴とする請求項１、２、３又は４記載のログ情報管理装置。
【請求項６】
ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、ログ情報を取得する手段と、取得した該ログ情報を記憶する手段と、所要の検索条件の入力に応じて、該検索条件に適合するログ情報を記憶しているログ情報の中から抽出する手段としてコンピュータ若しくはネットワークで接続されるコンピュータを機能させることを特徴とするログ情報管理プログラム。
【請求項７】
ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、該受信時刻及び該送信元機器を特定可能なデータ及びファシリティ及びプライオリティ及びアプリケーション名及びプロセスＩＤ及びメッセージの各データを有する基本事項と、該メッセージから抽出したタグ名及びタグ名の対象データを有する動作関連事項と、該メッセージから抽出したキーワードとを有するログ情報を取得する手段と、取得した該ログ情報を記憶する手段と、所要の検索条件の入力に応じて、該検索条件に適合するログ情報若しくはその基本事項を記憶しているログ情報の中から抽出する手段としてコンピュータ若しくはネットワークで接続されるコンピュータを機能させることを特徴とするログ情報管理プログラム。
【手続補正２】
【補正対象書類名】明細書
【補正対象項目名】０００８
【補正方法】変更
【補正の内容】
【０００８】
【課題を解決するための手段】
本発明のログ情報管理装置は、ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、ログ情報を取得する手段と、取得した該ログ情報を記憶する手段と、所要の検索条件の入力に応じて、該検索条件に適合するログ情報を記憶しているログ情報の中から抽出する手段とを有することを特徴とする。例えばログ情報は検索用としてデータベースに格納される。又、ログ情報は、例えばＸＭＬとすると他のアプリケーションでも使用可能で汎用性に優れるので好適であるが、論理的に意味を保持させられるツリー構造の形式であれば適宜使用可能であって、例えばＬＩＳＰ言語とすることができ、又、前記ツリー構造以外の情報の形式とすることも可能である。
【手続補正３】
【補正対象書類名】明細書
【補正対象項目名】０００９
【補正方法】変更
【補正の内容】
【０００９】
また、本発明のログ情報管理装置は、ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、該受信時刻及び該送信元機器を特定可能なデータ及びファシリティ及びプライオリティ及びアプリケーション名及びプロセスＩＤ及びメッセージの各データを有する基本事項と、該メッセージから抽出したタグ名及びタグ名の対象データを有する動作関連事項と、該メッセージから抽出したキーワードとを有するログ情報を取得する手段と、取得した該ログ情報を記憶する手段と、所要の検索条件の入力に応じて、該検索条件に適合するログ情報若しくはその基本事項を記憶しているログ情報の中から抽出する手段とを有することを特徴とする。本発明に於けるログ情報には適宜の形式のログ情報を使用可能であるが、ＸＭＬのログ情報とするとログ情報の各項目或いは各事項に意味内容を付加し、統一的に管理することができると共に多様な検索等の処理が可能になって好適である。更に、本発明のログ情報管理装置は、アプリケーション名と対応するアプリケーションの正規表現と、アプリケーション動作名と対応するアプリケーション動作の正規表現と、タグを識別する正規表現とを記憶する手段と、シスログデータと、アプリケーションの正規表現、アプリケーション動作名の正規表現及びタグを識別する正規表現とを比較して、その合致に基づき、基本事項のアプリケーション名、動作関連事項のアプリケーション動作名、タグ名を取得する手段とを有することを特徴とする。
【手続補正４】
【補正対象書類名】明細書
【補正対象項目名】００１２
【補正方法】変更
【補正の内容】
【００１２】
また、本発明のログ情報管理プログラムは、ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、ログ情報を取得する手段と、取得した該ログ情報を記憶する手段と、所要の検索条件の入力に応じて、該検索条件に適合するログ情報を記憶しているログ情報の中から抽出する手段としてコンピュータ若しくはネットワークで接続されるコンピュータを機能させることを特徴とする。
【手続補正５】
【補正対象書類名】明細書
【補正対象項目名】００１３
【補正方法】変更
【補正の内容】
【００１３】
また、本発明のログ情報管理プログラムは、ネットワークで接続される送信元機器から発生したイベントのシスログデータを受信する手段と、該受信したシスログデータ及び該シスログデータに付加された受信時刻及び該イベントが発生した送信元機器を特定可能なデータに基づき、該受信時刻及び該送信元機器を特定可能なデータ及びファシリティ及びプライオリティ及びアプリケーション名及びプロセスＩＤ及びメッセージの各データを有する基本事項と、該メッセージから抽出したタグ名及びタグ名の対象データを有する動作関連事項と、該メッセージから抽出したキーワードとを有するログ情報を取得する手段と、取得した該ログ情報を記憶する手段と、所要の検索条件の入力に応じて、該検索条件に適合するログ情報若しくはその基本事項を記憶しているログ情報の中から抽出する手段としてコンピュータ若しくはネットワークで接続されるコンピュータを機能させることを特徴とする。